【事件の表示】
　上記当事者間の特許第３７５４０６５号発明「光重合性組成物及びこれを用いたカラーフィルター」の特許無効審判事件について、次のとおり審決する。
【結　論】
　特許第３７５４０６５号の請求項１ないし請求項６に係る発明についての特許を無効とする。
　審判費用は、被請求人の負担とする。
【理　由】
第１．手続の経緯
　平成１７年　８月１７日　特許出願：特願２００５−２３６６７５号
　　　　　　　　　　　　　（特願２００４−１１３３８０号の一部を新た　　　　　　　　　　　　　　に特許出願としたもの）
　　　　　　　　　　　　　［優先日；平成１５年６月１０日、平成１５年　　　　　　　　　　　　　　１０月１日］
　平成１７年１２月　２日　特許査定
　平成１７年１２月２２日　設定登録（特許第３７５４０６５号）
　平成１９年１１月　１日　特許無効審判請求（無効２００７−８００２４　　　　　　　　　　　　　２号）
　平成２０年　１月２８日　答弁書提出（被請求人）
　
第２．本件発明
　本件特許の請求項１ないし請求項６に係る発明（以下、それぞれ「本件発明１」、「本件発明２」、「本件発明３」、「本件発明４」、「本件発明５」、「本件発明６」という。）は、願書に添付した明細書及び図面（以下、「特許明細書」という。）の記載からみて、特許請求の範囲の請求項１ないし請求項６に記載された事項により特定される次のとおりのものである。
　
「【請求項１】
　（ａ）黒色色材、（ｂ）有機結合材、（ｃ）光重合開始剤及び（ｅ）塩基性官能基を有する高分子分散剤を含有する光重合性組成物であって、（ｂ）有機結合材がカルボキシル基を有するエポキシアクリレート樹脂であり、（ｃ）光重合開始剤が一般式（６）で示されるオキシムエステル系化合物であることを特徴とする光重合性組成物。
【化１】
（式中、Ｒ1は、置換されていてもよい炭素数１〜１０のアルキル基であり、Ｒ2は、それぞれ置換されていてもよい炭素数２〜１０のアルカノイル基、炭素数７〜２０のベンゾイル基であり、Ｒ10は、互いに独立して、水素原子、それぞれ置換されていてもよい炭素数１〜１２のアルキル基、炭素数２〜４のヒドロキシアルキル基、炭素数３〜５のアルケニル基又は炭素数６〜２０のフェニル基を示し、Ｒ10は、Ｒ10が結合している窒素原子を介して結合する芳香族環の双方又は一方の更なる置換基又は芳香族環の炭素原子の一つと結合して環構造を形成してもよく、Ｒ12、Ｒ13、Ｒ14及びＲ15は、互いに独立して、水素原子、それぞれ置換されていてもよい炭素数６〜２０のフェニル基、炭素数１〜１０のアルキル基、炭素数５〜８のシクロアルキル基、炭素数２〜２０のアルカノイル基、炭素数７〜２０のベンゾイル基、炭素数２〜１２のアルコキシカルボニル基、炭素数７〜２０のフェノキシカルボニル基、炭素数１〜２０のアミド基又はニトロ基を示す。）
【請求項２】
　光重合性組成物が、更に（ｄ）光重合性単量体を含有することを特徴とする請求項１に記載の光重合性組成物。
【請求項３】
　（ｂ）有機結合材が、エポキシ樹脂にα，β−不飽和モノカルボン酸又はエステル部分にカルボキシル基を有するα，β−不飽和モノカルボン酸エステルを付加させ、さらに、多塩基酸無水物を反応させることにより合成されるエポキシアクリレート樹脂である請求項１又は２に記載の光重合性組成物。
【請求項４】
　（ｂ）有機結合材が、ノボラック型エポキシ樹脂及び／又は下記式（７）で示されるエポキシ樹脂と（メタ）アクリル酸との反応生成物に多塩基酸無水物を反応させて得られるエポキシアクリレート樹脂である請求項１〜３のいずれか１項に記載の光重合性組成物。
【化２】
【請求項５】
　透明基板上に、請求項１〜４のいずれか１項に記載の光重合性組成物により形成されたブラックマトリックスを有することを特徴とするカラーフィルター。
【請求項６】
　請求項５に記載のカラーフィルターを用いて形成された液晶表示装置。」
　
第３．請求人の主張の概要、及び、請求人が提出した証拠
１．請求人の主張の概要
（１）無効理由１
　本件特許明細書の請求項１ないし請求項６に記載された発明は、甲第１号証ないし甲第９号証に記載された発明に基づいて、出願前に当業者が容易に発明をすることができたものであるから、特許法第２９条第２項の規定により特許を受けることができないものであり、その特許は同法第１２３条第１項第２号の規定により、無効とすべきである。
　
（２）無効理由２
　本件特許明細書の実施例２の説明と表１の記載とは整合しておらず、本件特許明細書に記載された実施例２は、本件発明の技術的手段を具体的に示すものとは言えないし、仮に実施例２が本件発明の実施例に該当するものと解したとしても、本件特許明細書には、僅か２種の光重合性組成物が記載されているだけであるから、本件特許明細書は、実施例によって支持される範囲以外の発明態様について、同様に本件発明の作用効果が得られることが明らかにされておらず、当業者が本件発明の実施をすることができる程度に明確かつ十分に記載したものでないから、本件特許は同法第１２３条第１項第４号の規定により無効とすべきである。
　
２．証拠方法
（１）甲第１号証：　国際公開パンフレットＷＯ０２／１００９０３Ａ１
　　　　　　　　　　（公開日：平成１４年１２月１９日）
　　　　　　　　　　なお、甲第１号証の訳文として特表２００４−５３４　　　　　　　　　　７９７号公報（甲第１号証の２）も提出されている。
（２）甲第２号証：　THE　IP．com  Journal；June 2003，Volume 3 Number 6，
                    pp101-109（IPCOM000012462D）
　　　　　　　　　　公開日：平成１５年５月８日
（３）甲第３号証：　特開平１１−８４１２６号公報
（４）甲第４号証：　特開平８−２７８６２９号公報
（５）甲第５号証：　特開平１０−２１３８９８号公報
（６）甲第６号証：　特開平１０−３００９２３号公報
（７）甲第７号証：　特開平１０−８２９０８号公報
（８）甲第８号証：　特開平１１−３２３１４４号公報
（９）甲第９号証：　特開２００２−２２０４０８号公報
（１０）甲第１０号証：　特願２００５−２３６６７５号について提出され　　　　　　　　　　　　た平成１７年８月２２日付け早期審査に関する事　　　　　　　　　　　　情説明書
　
第４．被請求人の主張の概要、及び、被請求人が提出した証拠
１．被請求人の主張の概要
（１）無効理由１について
（１−１）本件特許明細書の請求項１ないし請求項６に係る発明は、甲第１号証に記載された発明、又は甲第２号証に記載された発明と甲第３号証ないし甲第９号証に記載された事項に基づいて当業者が容易に発明をすることができたものではない。
　
（１−２）本件特許明細書の請求項１ないし請求項６に係る発明は、甲第３号証ないし甲第８号証に記載された発明に、甲第１号証又は甲第２号証に記載された発明を組み合わせることにより当業者が容易に発明をすることができたものではない。
　
（２）無効理由２について
　本件特許発明に係る光重合性組成物の代表的な実施例として、実施例１及び実施例２が記載されており、このような光重合性組成物によれば、「薄膜において高遮光性でありながら感度、解像性に優れるため、低コストで高品質の樹脂BMを形成することができる」という本件特許発明の効果が得られることを当業者において認識できる程度の具体例の開示がなされているので、本件特許明細書は、当業者が本件特許発明の実施をすることができる程度に明確かつ十分に記載されている。
　
２．被請求人が提出した証拠
（１）乙第１号証：　特開２００３−１０７２３０号公報
（２）乙第２号証：　特開平９−１６６８６９号公報
（３）乙第３号証：　実験成績証明書
　
第５．当審の判断
１．無効理由１について
（１）甲第３号証に記載された事項（下線は当審で付与。）
（１−ａ）「【請求項１】　（ａ）
黒色色材、
カルボキシル基を有するノボラックエポキシアクリレート
光重合開始剤
エチレン性不飽和基を一個以上有する化合物
カラーフィルター用光重合性組成物
【請求項２】　（ａ）黒色色材がカーボンブラックである請求項１に記載のカラーフィルタ用光重合性組成物。
【請求項３】　（ａ）黒色色材の含有量が全固形分の３５〜７０ｗｔ％である請求項１又は２記載のカラーフィルタ用光重合性組成物。
【請求項４】　（ｃ）
光重合開始剤がビイミダゾール誘導体を含有することを特徴とする
【請求項５】　（ｃ）光重合開始剤が更に多官能チオールを含有することを特徴とする請求項４記載のカラーフィルタ用光重合性組成物。
【請求項６】　
更に塩基性官能基を有する高分子分散剤を含有する
【請求項７】　
基板上に請求項１〜６のいずれかに記載の光重合性組成物により形成されてなるブラックマトリックスを有することを特徴とするカラーフィルタ
　
（１−ｂ）「【０００１】
【発明の属する技術分野】本発明はカラーテレビ、
液晶表示素子
　
（１−ｃ）「【００１１】樹脂ブラックマトリックスのように光全波長領域において遮光能力が要求される場合では、１）露光部分と未露光部分における架橋密度の差をつけるのが著しく困難なこと、２）露光された部分でも膜厚方向に対する架橋密度の差が発生すること、つまり、光照射面で十分硬化しても、基底面では硬化しないこと、３）現像液に不溶な多量な黒色色材を配合するため現像性の低下が著しいこと等、著しく感光特性を付与する上で障害となっている。」
　
（１−ｄ）「【００１３】
【発明が解決しようとする課題】本発明は上述の問題点を解決し薄膜、高遮光性を有するパターンをフォトリソグラフィー法で容易に形成でき、十分な感度、解像性、現像性、耐久性をもつレジスト材料を提供するものであり、カラーフィルターの樹脂ブラックマトリックスを高精度、低コストで製造可能とするものである。また、ブラックマトリックスを樹脂化することによりカラーフィルターの高画質化、無公害化をはかるものである。
【００１４】
【課題を解決するための手段】本発明者らは鋭意研究を進めた結果、バインダー樹脂として
カルボキシル基を有するノボラックエポキシアクリレートを含有する光重合組成物がかかる目的を解決しえることを見出し発明を完成するに至った
すなわち、本発明の要旨は、（ａ）黒色色材、（ｂ）カルボキシル基を有するノボラックエポキシアクリレート、（ｃ）光重合開始剤及び（ｄ）エチレン性不飽和基を一個以上有する化合物、を含有することを特徴とするカラーフィルター用光重合性組成物及びそれを用いたカラーフィルターに存する
　
（１−ｅ）「【００２０】
本発明に於て、カルボキシル基を有するノボラックエポキシアクリレート樹脂はノボラックエポキシ樹脂に不飽和モノカルボン酸を付加させ、さらに、多塩基酸無水物を反応させることにより得られる樹脂である
【００２１】不飽和モノカルボン酸としては
イタコン酸、クロトン酸、桂皮酸、アクリル酸、メタクリル酸
【００２２】不飽和モノカルボン酸のノボラックエポキシ樹脂への付加反応は公知の手法を用いることができ、例えば、エステル化触媒存在下、５０〜１５０℃の温度で反応させることができる。エステル化触媒としてはトリエチルアミン、トリメチルアミン、ベンジルジメチルアミン、ベンジルジエチルアミン等の３級アミン、テトラメチルアンモニウムクロライド、テトラエチルアンモニウムクロライド、ドデシルトリメチルアンモニウムクロライド等の４級アンモニウム塩等を用いることができる。
【００２３】不飽和モノカルボン酸の付加量はノボラックエポキシ樹脂のエポキシ基１当量に対し０．５〜１．２当量の範囲が好ましく、さらに好ましくは０．７〜１．１当量の範囲である。不飽和モノカルボン酸の付加量が上記範囲からずれると硬化特性が悪化する傾向が認められる。
不飽和カルボン酸が付加したノボラックエポキシ樹脂に付加させる多塩基酸無水物としては、無水マレイン酸、無水コハク酸、無水イタコン酸、無水フタル酸、無水テトラヒドロフタル酸、無水ヘキサヒドロフタル酸、無水ピロメリット酸、無水トリメリット酸、ベンゾフェノンテトラカルボン酸二無水物等がある
多塩基酸無水物の付加反応に関しても公知の手法を用いることができ、不飽和モノカルボン酸の付加反応と同様な条件下で継続反応させることにより得ることができる
　
（１−ｆ）「【００２４】光重合開始剤は、活性光線照射によりエチレン性不飽和二重結合を重合させる活性ラジカルを生じる化合物である。・・・。
【００２５】これらの化合物の中でビイミダゾール誘導体、チタノセン誘導体、トリアジン誘導体、オキサジアゾール誘導体が特に
感度、解像性、現像性、密着性に優れた性能を示すため好ましい
これらの中でも特にビイミダゾール誘導体が優れた性能を示すため好ましい
　
（１−ｇ）「【００２８】さらに、上記光重合開始剤に多官能チオールを開始系の一部として使用することにより高遮光下においても均一な光硬化反応を起こすことができるため添加するのは好ましい。・・・。
【００２９】エチレン性不飽和基を一個以上有する化合物（以下、エチレン性化合物という）としては、脂肪族（ポリ）ヒドロキシ化合物と不飽和カルボン酸とのエステル、芳香族ポリヒドロキシ化合物と不飽和カルボン酸とのエステル、不飽和カルボン酸と多価カルボン酸と脂肪族ポリヒドロキシ化合物により得られるエステル、芳香族ポリヒドロキシ化合物のエチレンオキシド、プロピレンオキシド付加物と不飽和カルボン酸とのエステル化反応、脂肪族ポリヒドロキシ化合物のエチレンオキシド、プロピレンオキシド付加物と不飽和カルボン酸とのエステル化反応、カプロラクトン変性多価アルコールと不飽和カルボン酸とのエステル、多価アルコールと多価イソシアナートと不飽和カルボン酸との反応物、スチリル末端化合物、含リン酸不飽和化合物、ポリエポキシと不飽和カルボン酸との付加物等が挙げられる。
【００３０】これらのうち、脂肪族ポリヒドロキシ化合物と不飽和カルボン酸とのエステルとしては具体的には、エチレングリコールジアクリレート、トリエチレングリコールジアクリレート、ネオペンチルグリコールジアクリレート、ヘキサンジオールジアクリレート、
トリメチロールプロパントリアクリレート
トリメチロールエタントリアクリレート
ペンタエリスリトールジアクリレート
ペンタエリスリトールトリアクリレート
ペンタエリスリトールテトラアクリレート
ジペンタエリスリトールテトラアクリレート
ジペンタエリスリトールペンタアクリレート
ジペンタエリスリトールヘキサアクリレート
　
（１−ｈ）「【００３４】以上、挙げた本発明組成物の好ましい配合量は
カルボキシル基を有するノボラックエポキシアクリレート樹脂
　
（１−ｉ）「【００３９】本発明ではこれら必須成分以外に顔料分散剤、密着向上剤、塗布性向上剤、現像改良剤等を好適に添加することができる。特に、本組成物では黒色色材を微細に分散し、且つ、その分散状態を安定化させることが品質安定上重要なため顔料分散剤を配合するのが望ましい。
【００４０】顔料分散剤は顔料及びバインダー樹脂双方に親和性を有するものであり、ノニオン、カチオン、アニオン等の界面活性剤、高分子分散剤等が挙げられるが、なかでも、高分子分散剤が好ましく、特に一級、二級、若しくは三級アミノ基、ピリジン、ピリミジン、ピラジン等の含窒素ヘテロ環等の
塩基性官能基を有する高分子分散剤が有利に使用される
　
（１−ｊ）「【００５９】次に上記分散処理により得られた黒色インキとレジスト成分として必要な上記の他の成分を添加、混合し均一な溶液とする。製造工程においては微細なゴミが感光液に混じることが多いため、得られたレジスト感光液はフィルター等により濾過処理するのが望ましい。続いて、本発明のカラーフィルター用光重合性組成物を用いたカラーフィルターの製造方法について説明する。
【００６０】
まず、透明基板上に、本発明の遮光膜用光重合性組成物をスピナー，ワイヤーバー，フローコーター，ダイコーター，ロールコーター，スプレー等の塗布装置により塗布して乾燥した後、該試料の上にフォトマスクを置き、該フォトマスクを介して画像露光，現像，必要に応じて熱硬化或いは光硬化により遮光用ブラックマトリクス画像を形成させ、さらにこの操作をＲＧＢ３色について各々繰り返し、カラーフィルター画像を形成させる
【００６１】なお、本発明の光重合性組成物を用いてカラーフィルターの画素を形成する場合には、非常に高感度、高解像力であるため、ポリビニルアルコール等の酸素遮断層を設けることなしに露光、現像して画像を形成することが可能である。ここで用いる透明基板は、カラーフィルター用の透明基板であり、その材質は特に限定されるものではないが、例えば、ポリエチレンテレフタレート等のポリエステルやポリプロピレン、ポリエチレン等のポリオレフィン等、ポリカーボネート、ポリメチルメタクリレート、ポリスルホンの熱可塑性プラスチックシート、エポキシ樹脂、ポリエステル樹脂、ポリ（メタ）アクリル樹脂等の熱硬化性プラスチックシート、或いは各種ガラス板等を挙げることができる。特に、耐熱性の点からガラス板、耐熱性プラスチックが好ましく用いられる。」
　
（１−ｋ）「【００６６】
【実施例】以下実施例及び比較例を挙げて本発明を更に詳細に説明するが、本発明はその要旨を超えない限り以下の実施例に限定されるものではない。
【００６７】合成例−１（分散樹脂溶液の調製）
トリレンジイソシアネートの三量体（三菱化学（株）製マイテックＧＰ７５０Ａ、樹脂固形分５０ｗｔ％、酢酸ブチル溶液）３２ｇと触媒としてジブチルチンジラウレート０．０２ｇをＰＧＭＥＡ（プロピレングリコールモノメチルエーテルアセテート）４７ｇで希釈溶解した。攪拌下に、これに、片末端がメトキシ基となっている数平均分子量１，０００のポリエチレングリコール（日本油脂（株）製、ユニオックスＭ−１０００）１４．４ｇと数平均分子量１，０００のポリプロピレングリコール（三洋化成工業（株）製、サンニックスＰＰ−１０００）９．６ｇとの混合物を滴下した後、７０℃でさらに３時間反応させた。次に、Ｎ，Ｎ−ジメチルアミノ−１，３−プロパンジアミン１ｇを加え、４０℃でさらに１時間反応させた。このようにして得られた分散樹脂を含有する溶液のアミン価を中和滴定によりもとめたところ１４ｍｇＫＯＨ／ｇであった。また樹脂含有量をドライアップ法（１５０℃で３０分間、ホットプレート上で溶剤を除去し重量変化量により樹脂濃度を算出）により求めたところ樹脂含有量は４０ｗｔ％であった。
【００６８】合成例−２
エポキシ当量２００ｇ／ｅｑ、軟化点６５℃のｏ−クレゾールノボラックエポキシ樹脂２００ｇ、アクリル酸７２ｇ、ｐ−メトキシフェノール０．２ｇ、ドデシルトリメチルアンモニウムクロリド０．２ｇ、プロピレングリコールモノメチルエーテルアセテート２７２ｇをフラスコに仕込み１００℃の温度で８時間反応させた（エポキシ基１当量に対し、アクリル酸１当量が反応）。さらに、テトラヒドロ無水フタル酸４２ｇを加え８０℃で３時間反応させた。この反応液を水に再沈殿、真空乾燥させて
カルボキシル基を有するノボラックエポキシアクリレート樹脂を得た
【００６９】合成例−３
テトラヒドロ無水フタル酸の添加量を６３ｇとした以外は合成例−２と同様にして反応を行った。得られた樹脂酸価は７０ｍｇＫＯＨ／ｇであった。
合成例−４
テトラヒドロ無水フタル酸の添加量を１０１ｇとした以外は合成例−２と同様にして反応を行った。得られた樹脂酸価は１００ｍｇＫＯＨ／ｇであった。
【００７０】（カーボンブラックの分散）カーボンブラックＭＡ−２２０（三菱化学（株）製）５０重量部、合成例−１に示した分散樹脂を固形分として５重量部の割合で、かつ固形分濃度が５０ｗｔ％となるようにカーボンブラック、分散樹脂溶液、ＰＧＭＥＡを加えた。分散液の重量は５０ｇであった。これを攪拌機によりよく攪拌しプレミキシングを行った。次に、ペイントシェーカーにより２５〜４５℃の範囲で６時間分散処理を行った。ビーズは０．５ｍｍφのジルコニアビーズを用い、分散液と同じ重量を加えた。分散終了後、フィルターによりビーズと分散液を分離した。
【００７１】実施例１〜３及び比較例１
レジスト液の調合
上述したカーボンブラック分散インキを用いて固形分として下記の配合割合となるように各成分を加えスターラーにより攪拌、溶解させ、ブラックレジスト感光液を調整した。
１）レジストの組成
【００７２】
【表１】　
　顔料
　　カーボンブラック　ＭＡ−２２０（三菱化学（株）製）　　　　５０ｇ
  バインダー樹脂
（表−１に記載）　　　　　　　　　　　　　　　　　　　　　　　２５ｇ
　アクリルモノマー；ジペンタエリスリトールヘキサアクリレート　１５ｇ
　光重合開始剤
　・２−（２′−クロロフェニル）−４，５−ジフェニルイミダゾール２量体　　　　　　　　　　　　　　　　　　　　　　　　　　　　　　　２ｇ
　・４，４’−ビス（ジエチルアミノ）ベンゾフェノン　　　　　　　１ｇ
　・ペンタエリスリトールテトラキスチオプロピオネート　　　　　　１ｇ
　溶剤
　　プロピレングリコールモノメチルエーテルアセテート　　　　３００ｇ
　高分子分散剤（合成例−１）              　　　                ５ｇ
　界面活性剤　ＦＣ−４３０（住友３Ｍ社製）　　　　　　　１００ｐｐｍ
【００７３】２）レジストの評価
ブラックレジスト感光液をスピンコーターにてガラス基板（７０５９、コーニング社製）に塗布し、ホットプレートで８０℃、１分間乾燥した。乾燥後のレジストの膜厚を触針式膜厚計（α−ステップ、テンコール社製）で測定したところ１μであった。次に、このサンプルをマスクを通して高圧水銀灯で露光量を変えて像露光した。温度２５℃、濃度０．０５％の水酸化カリウム水溶液に１分間浸漬現像しレジストパターンを得た。
【００７４】１．感度
２０μのマスクパターンを寸法通り形成できる露光量（適正露光量）をもって感度とした
すなわち、露光量の少ないレジストは低露光量で画像形成が可能であるため高感度であることを示す
【００７５】２．解像力
２０μのマスクパターンを忠実に再現する露光量における解像可能なレジスト最小パターン寸法を２００倍の倍率で顕微鏡観察した。最小パターン寸法が１０μ以下を解像力○、１０μを超えるものを×とした。
【００７６】３．遮光性
画線部の光学濃度（ＯＤ）をマクベス反射濃度計　ＴＲ９２７（コルモルグン社製）で測定した。なお、ＯＤ値は遮光能力を示す数値であり数値が大きい程高遮光性であることを示す。
【００７７】４．密着性
セロテープ試験（セロテープをレジストパターン上に貼り付けた後セロテープを引き剥がす）により密着性を評価した。レジストパターンが剥離しないものを○、剥離のみられるものを×とした。
【００７８】５．光沢値
光沢計（ビックケミー社）にて乾燥後のブラックレジスト表面の２０度光沢値を測定した。尚、実施例１〜３のブラックレジスト感光液を使用してガラス基板上にブラックマトリックスを形成し、次いで赤、緑、青の各画素を形成することにより遮光性に優れたブラックマトリックスを有するカラーフィルターを製造できた。
【００７９】
【表２】　
　表−１
┌────┬───────┬───┬───┬───┬───┬───┐
│　　　　│バインダー樹脂│感　度│解像力│遮光性│密着性│光沢値│
├────┼───────┼───┼───┼───┼───┼───┤
│実施例-1│合成例−２　　│100mj │　○　│ 3.5  　│　○　│ 130  │
├────┼───────┼───┼───┼───┼───┼───┤
│実施例-2│合成例−３　　│100mj │　○　│ 3.5    │　○　│ 130  │
├────┼───────┼───┼───┼───┼───┼───┤
│実施例-3│合成例−４　　│100mj │　○　│ 3.5    │　○　│ 130  │
├────┼───────┼───┼───┼───┼───┼───┤
│　　　スチレン・アクリル　　　　　　　　　　　　　　　　 　　　│
│比較例-1　　酸樹脂 　　　　× *1 　　×　　　−　　　−　　130   │
│　(Mw=5000、酸化220)　　　　　　　　　　　　　　　　　　　　　│
└────┴───────┴───┴───┴───┴───┴───┘
　　　　　　　　　　　　　　＊１：２０μの画像形成不可　　　　　」
　
（１−ｌ）「【００８０】
【発明の効果】本発明のカラーフィルター用レジスト組成物は、薄膜において高遮光性でありながら感度、現像性、解像性、密着性、耐久性に優れるため、低コストで高品質の樹脂ブラックマトリックスを形成することができる。本発明の樹脂ブラックマトリクスを用いたカラーフィルターは精度、平坦性、耐久性において優れるため、従来以上に液晶素子の表示品位を向上させることができる。また、製造工程およびカラーフィルター自体にも有害な物質を含まないため、人体に対する危険性を低減し環境安全性を向上させるものである。」
　
　以上の摘記事項を総合して勘案すると、甲第３号証には、以下の各発明が実質的に記載されている。
　
（１−１）甲第３号証第１発明
　甲第３号証には以下の発明（以下、「甲第３号証第１発明」という。）が実質的に記載されている。
「（ａ）黒色色材、（ｂ）有機結合材、（ｃ）光重合開始剤及び（ｅ）塩基性官能基を有する高分子分散剤を含有する光重合性組成物であって、（ｂ）有機結合材がカルボキシル基を有するエポキシアクリレート樹脂であり、（ｃ）光重合開始剤が感度、解像性、現像性、密着性に優れた性能を示すビイミダゾール誘導体を含有する光重合性組成物。」
　
（１−２）甲第３号証第２発明
　上記（１−ｆ）を参照すると、甲第３号証には光重合性組成物に光重合性単量体を含有させることも記載されているから、甲第３号証には、以下の発明（以下、「甲第３号証第２発明」という。）が実質的に記載されている。
「甲第３号証第１発明に係る光重合性組成物において、更に（ｄ）光重合性単量体を有する光重合性組成物。」
　
（１−３）甲第３号証第３発明
　上記（１−ｅ）に、光重合性組成物における有機結合材が、エポキシアクリレート樹脂であって、ノボラックエポキシ樹脂に不飽和モノカルボン酸として
イタコン酸、クロトン酸、桂皮酸、アクリル酸、メタクリル酸
イタコン酸、クロトン酸、桂皮酸、アクリル酸、メタクリル酸
「甲第３号証第１発明に係る有機結合材が、エポキシ樹脂にα，β−不飽和モノカルボン酸を付加させ、さらに、多塩基酸無水物を反応させることにより合成されるエポキシアクリレート樹脂である光重合性組成物。」
　
（１−４）甲第３号証第４発明
　上記（１−ａ）等により、甲第３号証には、以下の発明（以下、「甲第３号証第４発明」という。）が実質的に記載されている。
「甲第３号証第１発明に係る有機結合材がノボラック型エポキシ樹脂である光重合性組成物。」
　
（１−５）甲第３号証第５発明
　上記（１−ｊ）等を参酌すると、甲第３号証には、以下の発明（以下、「甲第３号証第５発明」が実質的に記載されている。
「透明基板上に甲第３号証第１発明に係る光重合性組成物により形成されたブラックマトリックスを有するカラーフィルター。」
　
（１−６）甲第３号証第６発明
　上記（１−ａ）に、液晶表示装置に適用されることが記載されていることを勘案すると、甲第３号証には、以下の発明（以下、「甲第３号証第６発明」という。）も実質的に記載されている。
「甲第３号証第１発明に係る光重合性組成物により形成されたブラックマトリックスを用いて形成された液晶表示装置。」
　
（２）甲第１号証に記載された事項（なお、摘記箇所に対応する特表２００４−５３４７９７号公報［公表日：平成１６年１１月１８日］の対応箇所を参考のために併記しておく。）
（２−ａ）「The invention pertains to 
new oxime ester compounds
photoinitiators  in photopolymerizable compositions
　
（２−ｂ）「Since in either case, no gap is formed between the picture elements which are formed formerly and those which are formed later, 
the composition of the present invention is suitable for, for example, forming material for a color filter
Then, the light-sensitive resin composition to which, for example, the black coloring materials, dyes and pigments are added is provided on an overall face
An overall exposure(or a partial exposure via a light-shielding mask) can be provided thereon to form the picture elements of a black color all over the spaces(or all but a partial region of the light-shielding mask) between the picture elements of red, green and blue colors
　
（２−ｃ）「
Oxime esters of formulae I
　
　　　　　　　Ｏ−Ｈ　　　　Ｃｌ−Ｒ１　　　　　 Ｏ−Ｒ１         　
　　　　　　　│　　　　　　　ｏｒ　　　　　　　 │　　　　　　　　
　　　　　　　Ｎ　　　　　Ｒ１−Ｏ−Ｒ１ 　　　　 Ｎ　　　　　　　　　  　　　　　　‖ 　　　　　　　　　　　　　　　　‖　　　　　　　　　　　 
Ａｒ
１
Ａｒ
１
　
Such reactions are well known to those skilled in the art, and are generally carried out at temperatures of -15 to +60℃, prefarably 0 to 25℃.」（公報第２０頁第２１行〜末行）［式Ｉ、ＩＩおよびＩＩＩのオキシムエステルは、文献に記載された方法によって、例えば、塩基、例えばトリエチルアミンまたはピリジンの存在下での、例えばｔｅｒｔ−ブチルメチルエーテル、テトラヒドロフラン（ＴＨＦ）もしくはジメチルホルムアミドのような不活性溶媒中でか、或いはピリジンのような塩基性溶媒中での、対応するオキシムとアシル塩化物または無水物との反応によって製造される。・・・（中略）・・・
そのような反応は、当業者には周知であり、一般的には、−１５〜＋５０℃、好ましくは０〜２５℃の温度で実施される。］
　
（２−ｄ）甲第１号証の第７３頁ないし第７５頁にかけて記載されている、実施例２５ないし実施例３１は、いずれも上記（２−ｃ）において下線を付したＡｒ１がベンゾカルバゾール環であるオキシムエステル系化合物であって、本件発明１で規定している一般式（６）に含まれるものである。
　
そして、実施例２９は、以下に示すものであって、本件特許明細書に記載の本件発明の実施例において、使用されている光重合開始剤（チバ・スペシャルティーケミカル社製　ＣＧＩ−２４２）である
　上記のことから、甲第１号証には、カラーフィルタのブラックマトリックスを形成するのに用いられる光重合性組成物における光重合開始剤として、ベンゾカルバゾール環を有するオキシムエステル系化合物を好適に使用できることが記載されている。
　また、本件特許明細書に記載の本件発明の実施例において使用されている光重合開始剤も記載されている。
　
（３）甲第２号証に記載されている事項（下線は当審で付与。）
（３−ａ）「This article relates to photosensitive compositions comprising a ketoxime-ester as radical generating compound upon irradiation to UV and /or visible radiation 
for manufacturing of color filters
The subject compositions contain a)
ketoxime-ester selected from the compounds
one or more radically polymerizable ethylenically unsaturated compound(s)
colorant(s)
 binder resin
Color filters 
The color filters are usually prepared by forming red, green and blue pixels and a 
black matrix on a glass substrate
Strong demands for photosensitive compositions with higher performance for manufacturing  of color filters are still existing to improve productivity and to improve the performance of final devices
The subject compositions exhibit
 high sensitivity
high resolution
high reproducibility of desired pattern shape
Therefore, the compositions are highly suitable for manufacturing color filters
　
（３−ｂ）「Specific examples of compounds of the formula(I), which are especially useful in the above-described formulations are:
(1)
1-{9-Ethyl-6-(2-methyl-benzoyl)-9.H.-carbazol-3-yl}-ethanone-O-acetyl-oxime
(2)・・・
In particular suitable is compound (1)
　甲第２号証に記載されている上記「compound(1)」は、その図面を参照すると、甲第１号証の実施例２９、及び、本件特許明細書中における本件発明の実施例において使用されている光重合開始剤（チバ・スペシャルティーケミカル社製　ＣＧＩ−２４２）と全く同じものであることがわかる。
 
　上記摘記事項を勘案すると、甲第２号証には、カラーフィルタのブラックマトリックスを形成するために用いられる光重合性組成物に含有させる光重合開始剤として、「感度」、「解像性」などの点において、本件特許明細書中の本件発明の実施例１、実施例２において使用されているもの（チバ・スペシャルティーケミカル社製　ＣＧＩ−２４２）が特に適していることが記載されている。
　
（４）光重合性組成物中の光重合開始剤についての周知の技術的事項
　カラーフィルターのブラックマトリックスを形成するために用いられる、「黒色色材、有機結合材、光重合開始剤及び塩基性官能基を有する高分子分散剤を含有する光重合性組成物」に含有させる光重合開始剤として、「感度」、「解像性」、「現像性」、「密着性」等の性能が良いものを選択して使用する必要があることは、甲第３号証（段落【００２５】）や、甲第５号証（段落【００１８】）、甲第６号証（段落【００２６】）、甲第８号証（段落【００４４】）の他に、例えば
特開平１１−３０５４２５号公報
特開平１１−３２７１２７号公報
　　
１．１　本件発明１について
（１）本件発明１（前者）と甲第３号証第１発明（後者）の対比
　両者は、
「（ａ）黒色色材、（ｂ）有機結合材、（ｃ）光重合開始剤及び（ｅ）塩基性官能基を有する高分子分散剤を含有する光重合性組成物であって、（ｂ）有機結合材がカルボキシル基を有するエポキシアクリレート樹脂である光重合性組成物。」
である点で一致し、以下の点で相違する。
　
（１−１）相違点
　前者が含有する光重合開始剤は一般式（６）で示されるオキシムエステル系化合物であるのに対して、後者が含有する光重合開始剤は、感度、解像性、現像性、密着性に優れた性能を示すビイミダール誘導体である点。
　
（２）相違点についての判断
　前記「１．（２）」で指摘したように、甲第１号証には、「（ａ）黒色色材、（ｂ）有機結合材、（ｃ）光重合開始剤」を含む光重合性組成物における光重合開始剤として、一般式（６）で示されるベンゾカルバゾール環を有するオキシムエステル系化合物に属するものを含有するものが好適に使用できることが複数の実施例とともに記載されているのみならず、本件特許明細書における本件発明の実施例１と実施例２において使用されている光重合開始剤（チバ・スペシャルティーケミカル社製　ＣＧＩ−２４２）が、実施例２９として記載されている。
　また、前記「１．（３）」で指摘したように、甲第２号証には、カラーフィルタのブラックマトリックスを形成するために用いられる光重合性組成物に含有させる光重合開始剤として、甲第１号証における実施例２９と全く同じであり、本件発明の実施例において使用されている光重合開始剤（チバ・スペシャルティーケミカル社製　ＣＧＩ−２４２）を使用することが特に好適であることが記載されている。　
　そしてまた、前記「１．（４）」で指摘したように、カラーフィルターのブラックマトリックスを形成するために用いられる、「黒色色材、有機結合材、光重合開始剤及び塩基性官能基を有する高分子分散剤を含有する光重合性組成物」に含有させる光重合開始剤として、「感度」などの性能が特に良いものを選択して使用する必要があることは、本件出願前に周知の技術的事項である。
　ところで、本件発明１の一般式（６）は、広範なベンゾカルバゾール環を有するオキシムエステル系化合物を包含するものであるが、本件特許明細書には、本件発明の実施例としては特定の光重合開始剤（チバ・スペシャルティーケミカル社製　ＣＧＩ−２４２）を用いた唯一の実験例しか記載されておらず、一般式（６）で表される他のベンゾカルバゾール環を有するオキシムエステル系化合物を用いた場合にも同様の効果を奏することについて示されていないし、一般式（６）を用いて光重合開始剤を広範に規定したことに格別の技術的意義を認めることもできない。
　してみると、甲第３号証第１発明の光重合性組成物における光重合開始剤として、感度、解像性、現像性、密着性に優れた性能を示すビイミダゾール誘導体を含有させる代わりに、ブラックマトリックスを形成する場合に光重合開始剤として性能が優れたものとされる甲第１号証に記載された発明に係るベンゾカルバゾール環を有するオキシムエステル化合物、または、甲第２号証に記載された発明に係るベンゾカルバゾール環を有するオキシムエステル化合物を含む、一般式（６）で規定される光重合開始剤を含有させることとして、相違点に係る構成を有する光重合性組成物を得ることは、当業者が容易に想到し得ることである。
　また、甲第３号証発明に係る光重合性組成物における光重合開始剤として、ビイミダゾール誘導体を含有させる代わりに、従来例と対比して性能が優れたものとされる甲第１号証に記載された発明または甲第２号証に記載された発明に係る特定の光重合開始剤が含まれる一般式（６）で表されるベンゾカルバゾール環を有するオキシムエステル系化合物を含有させることにより、優れた特性を有する光重合性組成物が得られることは、当業者が容易に予測することができることである。
　
（３）まとめ
　したがって、本件発明１は、甲第３号証第１発明、甲第１号証に記載された発明または甲第２号証に記載された発明、及び、周知技術に基づいて当業者が容易に発明をすることができたものである。
　
１．２　本件発明２について
　本件発明２と甲第３号証第２発明とを対比すると、上記（１−１）の相違点と同様の点のみにおいて相違する。
　してみると、本件発明２は、上記「１．１」で指摘したのと同様の理由により、甲第３号証第２発明、甲第１号証に記載された発明または甲第２号証に記載された発明、及び、周知技術に基づいて当業者が容易に発明をすることができたものである。
　
１．３　本件発明３について
　本件発明３と甲第３号証第３発明とを対比すると、上記（１−１）の相違点と同様の点のみにおいて相違する。
　してみると、本件発明３は、上記「１．１」で指摘したのと同様の理由により、甲第３号証第３発明、甲第１号証に記載された発明または甲第２号証に記載された発明、及び、周知技術に基づいて当業者が容易に発明をすることができたものである。
　
１．４　本件発明４について
　本件発明４と甲第３号証第４発明とを対比すると、上記（１−１）の相違点と同様の点のみにおいて相違する。
　してみると、本件発明４は、上記「１．１」で指摘したのと同様の理由により、甲第３号証第４発明、甲第１号証に記載された発明または甲第２号証に記載された発明、及び、周知技術に基づいて当業者が容易に発明をすることができたものである。
　
１．５　本件発明５について
　本件発明５と甲第３号証第５発明とを対比すると、上記（１−１）の相違点と同様の点のみにおいて相違する。
　してみると、本件発明５は、上記「１．１」で指摘したのと同様の理由により、甲第３号証第５発明、甲第１号証に記載された発明または甲第２号証に記載された発明、及び、周知技術に基づいて当業者が容易に発明をすることができたものである。
　
１．６　本件発明６について
　本件発明６と甲第３号証第６発明とを対比すると、上記（１−１）の相違点と同様の点のみにおいて相違する。
　してみると、本件発明６は、上記「１．１」で指摘したのと同様の理由により、甲第３号証第６発明、甲第１号証に記載された発明または甲第２号証に記載された発明、及び、周知技術に基づいて当業者が容易に発明をすることができたものである。
　
１．７　小括
　上述した理由により、本件の特許請求の範囲の請求項１ないし請求項６に係る本件発明１ないし本件発明６は、甲第３号証に記載された発明、甲第１号証に記載された発明またはは甲第２号証に記載された発明、及び、周知技術に基づいて、当業者が容易に発明をすることができたものである。
　したがって、請求人が主張する無効理由１には理由がある。
　
２．無効理由２について
（２−１）実施例２の説明と表１の記載との整合性について
　請求人は、本件特許明細書における実施例２の説明と表１の記載とが整合していない旨主張しているが、表１には、実施例２は有機結合剤として合成例２を用いたことが示されており、被請求人のいうように、合成例２は、実施例１における合成例３の無水フタル酸の含有量が６３ｇであるのを４２ｇとしたものであることは、本件特許明細書の段落【００９６】、【００９７】の記載から明らかであるから、実施例２の説明と表１の記載とが整合していないとすることはできない。
　
（２−２）効果について
　上記「１．（３）」で指摘したように、カラーフィルターのブラックマトリックスを形成するために用いられる、「黒色色材、有機結合材、光重合開始剤及び塩基性官能基を有する高分子分散剤を含有する光重合性組成物」において、光重合開始剤として「感度」、「解像性」、「現像性」、「密着性」等の性能が良いものが求められていることは、本件出願前に周知の技術的事項である。
　そして、甲第１号証または甲第２号証には、上記「１．（２）」や「１．（３）」で示したように、カラーフィルターのブラックマトリックスを形成するために用いられる光重合性組成物において、ベンゾカルバゾール環を有するオキシムエステル系化合物がとりわけ有利であることが記載されているのである。
　してみると、本件特許明細書の特許請求の範囲における一般式（６）を満たす全ての光重合開始剤が本件特許発明の実施例として記載されているのと同様の優れた特性を有するかどうかが示されていないとしても、従来技術に対し、ある程度の効果を有するものとすることはできないことではない。
　したがって、本件特許明細書に実施例として記載されているのが、実施例１と実施例２だけであって、本件特許発明の効果が得られることを当業者において認識できる程度の具体例の開示がなされていないので、本件特許明細書は、当業者が本件特許発明の実施をすることができる程度に明確かつ十分に記載したものでないとすることはできない。
　
（２−３）小括
　以上述べた理由により、本件特許明細書の発明の詳細な説明は、当業者が本件特許発明の実施をすることができる程度に明確かつ十分に記載したものでないという理由により、特許法第３６条第４項第１号に規定する要件を満たしていないものとすることはできない。
　したがって、請求人が主張する無効理由２には理由がない。
　
第６．むすび
　以上のとおりであるから、本件発明１ないし本件発明６は、請求人の主張する無効理由１のとおり、特許法第２９条第２項の規定に違反して特許されたものである。
　したがって、本件発明１ないし本件発明６に係る特許は、特許法１２３条第１項第２号に該当し、無効とすべきものである。
　審判に関する費用については、特許法第１６２条第２項の規定で準用する民事訴訟法第６１条の規定により、被請求人が負担すべきものである。
　よって、結論のとおり審決する。